(57)【要約】      （修正有）【課題】帽子本来の形状に戻し、また通気性にも優れ、製品の耐久性を高める効果のあるスポンジメッシュキャップを提供する。【解決手段】スポンジメッシュキャップであって、二枚の布地間にスポンジを挟んでスポンジ層を形成し、そのスポンジ層の外部に表布地を重ね、これら三者を縫い合わせてフロントパネルを形成し、そのフロントパネルの両側と複数枚のメッシュ地を縫い合わせて帽体２を形成し、その帽体をさらにつば１と縫い合わせてスポンジメッシュキャップを完成させる。【選択図】図１
0003140949.tif 000002
【実用新案登録請求の範囲】
【請求項１】
つば及び帽体を縫い合わせて形成し、前記帽体はフロントパネル及び最低一枚のメッシュ地で形成し、前記フロントパネルは表布地、スポンジ層、及び熱可塑性樹脂の内張りを重ねて縫い合わせて形成することを特徴とするスポンジメッシュキャップ。
【請求項２】
前記熱可塑性樹脂の内張りは、複数の網目を持つことを特徴とする、請求項１記載のスポンジメッシュキャップ。
【請求項３】
前記スポンジ層は、スポンジ及び二枚の布地で形成することを特徴とする、請求項１記載のスポンジメッシュキャップ。
【考案の詳細な説明】
【技術分野】
【０００１】
本考案は、スポンジメッシュキャップに関するもので、製品の耐久性を高め、弾力により帽子本来の形状に戻すことができることを特徴とするメッシュキャップに関するものである。
【背景技術】
【０００２】
帽子は我々の日常生活において使用される広く普及した小物の１つで、基本的に使用者の頭の形に合わせて作製するため、通常のメッシュキャップは大抵、帽体の前縁とつばを互いに縫い合わせて形成し、つばの内部に縫製硬質パーツを採用し、帽体の前方はフロントパネルとつばを連接させて形成し、さらに前記フロントパネルの両側と複数枚のメッシュ地を繋いで縫い合わせて形成する。
【０００３】
このような設計方法により、フロントパネルと複数枚のメッシュ地を縫い合わせ、内部が窪んだ帽体を形成し、使用者が着用した際、日差しや雨から守る役目を果たす。
【特許文献１】実用新案登録第３１１４８６６号公報
【考案の開示】
【考案が解決しようとする課題】
【０００４】
本考案者は、市場での使用者の反応に焦点を当て、分析を進めるうち、上記の通常のメッシュキャップは、フロントパネルがしばしばコスト削減の対象となるため、表布地と薄型スポンジ層を縫い合わせるだけの構造となり、その薄型スポンジ層を長期使用し続けた結果、帽子が窪んで原形に戻りにくくなり、そのスポンジ層は破損や破裂を引き起こし、一年程度しか使用できないことに気づいた。このように、この種のメッシュキャップの構造には欠点があり、改良する必要があった。
本考案者は、上記の通常のメッシュキャップに存在する欠点を鑑みて、鋭意改良研究を続け、本考案のスポンジメッシュキャップを想到し、メッシュキャップの構造を更に極めた。
【０００５】
このように本考案は、フロントパネルの底部に熱可塑性樹脂の内張りを採用し、十分に弾力を持たせることで帽子本来の形状に戻し、また通気性にも優れ、製品の耐久性を高める効果のあるスポンジメッシュキャップに関するものを提供することを課題とする。
【課題を解決するための手段】
【０００６】
上記の課題を解決するために、スポンジメッシュキャップのフロントパネルに表布地、スポンジ層、及び熱可塑性樹脂の内張りを重ねて縫い合わせて形成した。
上記を実施する際、複数の網目を利用し弾力あるメッシュ構造を形成する熱可塑性樹脂の内張りに、二枚の布地にスポンジを挟んで形成した厚手のスポンジ層を重ね、さらにスポンジ層の外部に表布地を重ね、これら三者を縫い合わせてフロントパネルを形成する。
【０００７】
すなわち、請求項１の考案は、スポンジメッシュキャップにおいて、つば及び帽体を縫い合わせて形成し、前記帽体はフロントパネル及び最低一枚のメッシュ地で形成し、前記フロントパネルは表布地、スポンジ層、及び熱可塑性樹脂の内張りを重ねて縫い合わせて形成することを特徴とする。
請求項２の考案は、請求項１記載のスポンジメッシュキャップにおいて、前記熱可塑性樹脂の内張りは、複数の網目を持つことを特徴とする。
請求項３の考案は、請求項１記載のスポンジメッシュキャップにおいて、前記スポンジ層は、スポンジ及び二枚の布地で形成することを特徴とする。
【考案の効果】
【０００８】
本考案のスポンジメッシュキャップによれば、フロントパネルの底部に熱可塑性樹脂の内張りを採用したので、十分に弾力を持たせることで常に帽子本来の形状に戻し、また、水が内層に浸透しても湿りにくく、通気性にも優れ、製品の耐久性を高めることができる。
【考案を実施するための最良の形態】
【０００９】
以下、図面を参照し具体的な実施例を挙げながら、本考案の内容及び細部を詳細に説明する。
図１に示すように、本考案の実施例のスポンジメッシュキャップの組み立て完成図で、つば（１）及び帽体（２）の二大部分に分けられる。
図２に示すように、本考案の実施例のスポンジメッシュキャップは、フロントパネルの熱可塑性樹脂の内張り、及びスポンジ層を重ね合わせた場合の図で、前記熱可塑性樹脂の内張り（２１３）は交互に編んで形成したメッシュ状構造で、メッシュ状構造には複数の網目（Ａ）の間隔があり、防シワ効果を備えた強度構造を形成する。
【００１０】
図３に示すように、本考案の実施例のスポンジメッシュキャップは、フロントパネルの熱可塑性樹脂の内張り、及びスポンジ層の部分拡大図で、主につば（１）及び帽体（２）で構成され、帽体とつば（１）の末端を互いに縫い合わせ、帽体（２）は、帽子本来の形状に戻す作用があり、かつ耐久性効果を備えたフロントパネル（２１）と、最低一枚の通気性のあるメッシュ地（２２）で形成し、大面積のフロントパネル（２１）の両側をそれぞれメッシュ地（２２）と縫い合わせ、メッシュ地（２２）のまだ縫い合わせていない部分は、さらに他のメッシュ地（２２）と縫い合わせ、このように形成することで、使用者が着用する帽型を提供する。
【００１１】
前記フロントパネル（２１）は、表布地（２１１）、スポンジ層（２１２）、及び熱可塑性樹脂の内張り（２１３）を重ねて縫い合わせたもので、前記熱可塑性樹脂の内張り（２１３）の持つ複数の網目（Ａ）は大面積のメッシュ状構造を形成し、前記フロントパネル（２１）に弾力と防シワ効果を持たせることで、帽型本来の形状を保つ効果を大いに発揮し、前記網目（Ａ）はさらに適度な通気性があるため、帽体（２）に篭った異臭を抑制できる。
【００１２】
前記スポンジ層（２１２）はさらにスポンジ（Ｂ）及び二枚の布地（Ｃ）で形成され、その布地（Ｃ）をそれぞれ上下に重ねて置き、中間に前記スポンジ（Ｂ）を挟み、順番に三者を接着して一体化し、適度なクッション性を持たせることで、柔らかく快適な仕上がりとなる。
【００１３】
図１から図３に示すように、上記の構造を組み合わせ、本考案の実施例では表布地（２１１）を最上層、中間層をスポンジ層（２１２）、最底層を熱可塑性樹脂の内張り（２１３）とし、これら三者を順に重ねた後、さらに上記のメッシュ地（２２）と縫い合わせて帽体（２）を形成し、最後に前記帽体（２）とつば（１）を縫い合わせてスポンジメッシュキャップを完成させる。
【００１４】
以上の記述を総合し、本考案の実施例のスポンジメッシュキャップと通常のメッシュキャップを比較すると、本考案は厚手のフロントパネルを採用することで、常に帽子本来の形状を取り戻せ、水が内層に浸透しても湿りにくく、製品の耐久性を高める等の特徴を備え、実際に確実な効果が得られる。
なお、上記の記述は本考案の最良実施例にすぎず、本考案を説明しただけであり、限定できるものではない。本考案の権利の要求が限定する精神、範囲に基づく多くの変化、修正、変更は、本考案の均等の範囲内に含まれる。
【図面の簡単な説明】
【００１５】
【図１】本考案の実施例の組み立て完成図である。
【図２】本考案の実施例のフロントパネルの熱可塑性樹脂の内張り及びスポンジ層を重ね合わせた場合の図である。
【図３】本考案の実施例のフロントパネルの熱可塑性樹脂の内張り及びスポンジ層の部分拡大図である。
【符号の説明】
【００１６】
1   つば
2   帽体
21  フロントパネル 
211  表布地
212  スポンジ層
213  熱可塑性樹脂の内張り
22  メッシュ地
A   網目
B   スポンジ
C   布地
【図１】
0003140949.tif 000003
【図２】
0003140949.tif 000004
【図３】
0003140949.tif 000005